(57)【特許請求の範囲】
【請求項１】
ＦＭ音声信号を記録再生可能な磁気記録再生装置であって、音声信号が入力される第１の入力端子と、前記第１の入力端子から入力される音声信号をＦＭ変調しかつ再生信号を復調する変復調回路と、固定周波数の信号を入力する第２の入力端子と、少なくとも再生時に前記第２の入力端子から入力される信号を遮断制御し記録時に前記第２の入力端子から入力される信号を導通制御する信号制御回路と、前記信号制御回路から出力される信号に基づきＦＭ記録音声信号のキャリア周波数の信号を発生する基準信号発生回路と、前記基準信号発生回路の出力信号の周波数と前記変復調回路の出力信号の周波数とを比較しその比較結果に基づき前記基準信号発生回路の出力信号の周波数に前記変復調回路の出力信号の周波数を一致させるよう制御する比較調整回路と、前記変復調回路の出力信号のノイズレベルを検出する検出回路とを備え、
前記信号制御回路は、少なくとも再生時に前記基準信号発生回路に対して信号の出力を遮断することを特徴とする磁気記録再生装置。
【請求項２】
ＦＭ音声信号を記録再生可能な磁気記録再生装置であって、入力される音声信号をＦＭ変調して記録し、または再生されたＦＭ音声信号を復調し、入力される固定周波数の信号を少なくとも再生時に遮断制御し、記録時に導通制御し、前記導通制御された固定周波数に基づきＦＭ音声信号のキャリア周波数の信号を発生し、前記キャリア周波数とＦＭ変調された信号の周波数とを比較しその比較結果に基づき前記ＦＭ変調された信号の周波数を前記キャリア周波数に一致させるよう制御し、再生時に復調されたＦＭ音声信号のノイズレベルを検出することを特徴とする磁気記録再生装置。
【発明の詳細な説明】
【０００１】
【発明の属する技術分野】
本発明は、特にＨｉＦｉＶＴＲ等のＦＭ音声信号の記録再生のＦＭキャリア信号の自動周波数調整を施した磁気記録再生装置に関するものである。
【０００２】
【従来の技術】
近年、ＶＴＲ等の磁気記録再生装置は製造過程における調整箇所のレス化（無調整化）に注目されている。
【０００３】
以下に従来の調整箇所のレス化について説明する。
従来、ＦＭ音声信号のキャリア周波数の無調整化技術は基準信号発生回路で発生した信号周波数と変復調回路の発振周波数とを比較調整回路により比較し、基準信号周波数と電圧制御発振周波数を一致させるものが知られている。そのＦＭ音声信号のキャリア周波数の無調整化技術を備えた従来の磁気記録再生装置を図３に示す。図３は従来の磁気記録再生装置のブロック図を示すものである。図３において、１は音声信号Ｓ１が入力される入力端子、２は映像色信号のサブキャリア周波数のような固定周波数の信号Ｓ２が入力される入力端子、３は入力端子１から入力された信号Ｓ１をＦＭ変調し、また再生信号Ｓ８を復調する変復調回路、４は変復調回路３から出力される信号Ｓ３と後述する基準信号発生回路５から出力される基準信号Ｓ４とを比較して変復調回路３を制御する比較調整回路、５は入力端子２から入力された信号Ｓ２に基づき信号Ｓ４に変換する基準信号発生回路、６は変復調回路３から出力される信号Ｓ７のノイズレベルを検出する検出回路、７は記録手段（図示せず）に変復調回路３から出力される信号Ｓ５を出力する出力端子、８は再生信号を入力する再生入力端子である。
【０００４】
以上のように構成された従来の磁気記録再生装置について、以下その動作について説明する。
【０００５】
まず、記録時、入力端子１に入力された音声信号Ｓ１は変復調回路３に入力される。変復調回路３に入力された音声信号Ｓ１はＦＭ変調され、その出力信号Ｓ５と等価な信号Ｓ３は比較調整回路４に入力される。
【０００６】
一方、入力端子２に入力された信号Ｓ２は、例えば映像色信号のサブキャリア周波数のような固定周波数の信号であって、基準信号発生回路５により予め設定したＦＭ記録音声のキャリア周波数と等価の信号Ｓ４に変換され、比較調整回路４に入力される。
【０００７】
比較調整回路４は入力される信号Ｓ３の周波数と信号Ｓ４の周波数とを比較し、信号Ｓ３の周波数が信号Ｓ４の周波数より低い時は信号Ｓ３の周波数を高くするように、また信号Ｓ３の周波数が信号Ｓ４の周波数より高い時は信号Ｓ３の周波数を低くするように制御する制御信号Ｓ６を変復調回路３にフィードバックする。変復調回路３は制御信号Ｓ６に基づき信号Ｓ３を補正し、信号Ｓ３が基準信号発生回路５で設定されたＦＭ記録音声のキャリア周波数と等価の信号Ｓ４の周波数と一致するまで補正動作を行うと共に、出力端子７から記録手段に出力されて記録される。
【０００８】
再生時、変復調回路３はＰＬＬ復調器として発振周波数を、再生入力端子８から入力される再生信号Ｓ８の周波数に自動的にロックしようと動作し、その出力信号Ｓ７は検出回路６に入力され、検出回路６は出力信号Ｓ７のノイズレベルを検出してＦＭ音声とノーマル音声の自動判別を行う。
【０００９】
【発明が解決しようとする課題】
しかしながら上記の従来の構成では、再生時、変復調回路３の出力信号Ｓ７は、再生信号Ｓ８の周波数と基準信号発生回路５で設定されたＦＭ記録音声のキャリア周波数の間の周波数で変動する比較調整回路４の出力信号Ｓ６が重畳され変動することになり、検出回路６のノイズレベルが変動してＦＭ音声とノーマル音声の自動判別が誤動作するという問題点を有していた。
【００１０】
本発明は上記従来の問題点を解決するもので、再生時電圧制御発振回路をＰＬＬ復調器として使用する際、基準信号発生回路に入力される固定周波数の基準信号を少なくとも再生時に遮断制御することによりＦＭ音声とノーマル音声の自動判別が誤動作しない磁気記録再生装置を提供することを目的とする。
【００１１】
この目的を達成するために本発明の磁気記録再生装置は、ＦＭ音声信号を記録再生可能な磁気記録再生装置であって、音声信号が入力される第１の入力端子と、前記第１の入力端子から入力される音声信号をＦＭ変調しかつ再生信号を復調する変復調回路と、固定周波数の信号を入力とする第２の入力端子と、少なくとも再生時に前記第２の入力端子から入力される信号を遮断制御し記録時前記第２の入力端子から入力される信号を導通制御する信号制御回路と、前記信号制御回路から出力される信号に基づきＦＭ記録音声信号のキャリア周波数の信号を発生する基準信号発生回路と、前記基準信号発生回路の出力信号の周波数と前記変復調回路の出力信号の周波数とを比較しその比較結果に基づき前記基準信号発生回路の出力信号の周波数に前記変復調回路の出力信号の周波数を一致させるよう制御する比較調整回路と、前記変復調回路の出力信号のノイズレベルを検出する検出回路とを備えたものである。
【００１２】
この構成によって、再生時、変復調回路のノイズレベルの変動が抑制されるので、ノイズレベルに基づくＦＭ音声とノーマル音声の自動判別が誤動作せず、精度良く判別できる磁気記録再生装置が得られる。
【００１３】
【発明の実施の形態】
本発明の請求項１及び２に記載の発明は、ＦＭ音声信号を記録再生可能な磁気記録再生装置であって、音声信号が入力される第１の入力端子と、前記第１の入力端子から入力される音声信号をＦＭ変調しかつ再生信号を復調する変復調回路と、固定周波数の信号を入力とする第２の入力端子と、少なくとも再生時に前記第２の入力端子から入力される信号を遮断制御し記録時前記第２の入力端子から入力される信号を導通制御する信号制御回路と、前記信号制御回路から出力される信号に基づきＦＭ記録音声信号のキャリア周波数の信号を発生する基準信号発生回路と、前記基準信号発生回路の出力信号の周波数と前記変復調回路の出力信号の周波数とを比較しその比較結果に基づき前記基準信号発生回路の出力信号の周波数に前記変復調回路の出力信号の周波数を一致させるよう制御する比較調整回路と、前記変復調回路の出力信号のノイズレベルを検出する検出回路とを備えたものであり、再生時、変復調回路のノイズレベルの変動が抑制されるので、ノイズレベルに基づくＦＭ音声とノーマル音声の自動判別が誤動作せず、精度良く判別できるという作用を有する。
【００１４】
以下、本発明の実施の形態について、図１および図２を用いて説明する。
（実施の形態１）
図１は本発明の磁気記録再生装置の実施の形態のブロック図であり、図１において、１１は音声信号Ｓ１１が入力される入力端子、１２は映像色信号のサブキャリア周波数のような固定周波数の信号Ｓ１２が入力される入力端子、１３は入力端子１１から入力された音声信号Ｓ１１をＦＭ変調し、また再生信号Ｓ１８を復調する変復調回路、１４は変復調回路１３から出力される信号Ｓ１３と後述する基準信号発生回路１５から出力される基準信号Ｓ１４とを比較して変復調回路１３を制御する比較調整回路、１６は変復調回路１３から出力される信号Ｓ１７のノイズレベルを検出する検出回路、１７は入力端子１２から入力される信号Ｓ１２の導通／遮断を切り換え制御する信号制御回路、１８は操作手段（図示せず）から入力される再生や記録などの動作命令信号に基づき信号制御回路１７を制御する制御部で、操作手段としてはビデオテープレコーダー本体操作部や遠隔操作装置の操作部などがある。１５は信号制御回路１７から出力された信号Ｓ１９に基づき信号Ｓ１４を発生する基準信号発生回路、１９は変復調回路１３から出力される信号Ｓ１５を記録手段（図示せず）に出力する出力端子、２０は再生信号を入力する再生入力端子である。
【００１５】
以上のように構成された本実施の形態の磁気記録再生装置について、図１を用いてその動作を説明する。
【００１６】
まず、記録（自動調整）時、入力端子１１に入力された音声信号Ｓ１１は変復調回路１３に入力される。変復調回路１３に入力された信号Ｓ１１はＦＭ変調され、その出力信号Ｓ１５と等価な信号Ｓ１３は比較調整回路１４に入力される。
【００１７】
一方、入力端子１２に入力された信号Ｓ１２は、例えば映像色信号のサブキャリア周波数のような固定周波数の信号であって、信号制御回路１７に入力される。信号制御回路１７は制御部１８の制御により、信号Ｓ１９が出力される。信号Ｓ１９は基準信号発生回路１５に入力され、予め設定したＦＭ記録音声のキャリア周波数と等価の信号Ｓ１４に変換され、比較調整回路１４に入力される。比較調整回路１４は入力される信号Ｓ１３の周波数と信号Ｓ１４の周波数とを比較し、信号Ｓ１３の周波数が信号Ｓ１４の周波数より低い時は信号Ｓ１３の周波数を高くするように、また信号Ｓ１３の周波数が信号Ｓ１４の周波数より高い時は信号Ｓ１３の周波数を低くするように制御する制御信号Ｓ１６を変復調回路１３にフィードバックする。変復調回路１３は制御信号Ｓ１６に基づき、信号Ｓ１３の周波数が信号Ｓ１４の周波数と一致するまで繰り返し補正動作すると共に、出力端子１９から出力されて記録される。
【００１８】
再生時、変復調回路１３はＰＬＬ復調器として発振周波数を、再生入力端子２０から入力される再生信号Ｓ１８の周波数に自動的にロックしようと動作し、その出力信号Ｓ１７は検出回路１６に入力され、検出回路１６は出力信号Ｓ１７のノイズレベルを検出してＦＭ音声とノーマル音声の自動判別を行う。
【００１９】
一方、入力端子１２に入力された信号Ｓ１２は信号制御回路１７に入力される。操作手段（図示せず）から入力される命令信号（例えば再生動作命令信号）に基づき、制御部１８は信号制御回路１７を遮断状態になるよう制御信号を出力する。制御部１８の制御により信号制御回路１７は、信号の遮断を行い、無信号となる信号Ｓ１９が出力される。信号Ｓ１９は基準信号発生回路１５に入力されるが、基準信号発生回路１５からは信号Ｓ１４が出力されないため、比較調整回路１４から出力される信号Ｓ１６は無信号となり、信号Ｓ１３も無信号となり、信号Ｓ１３と信号Ｓ１４と信号Ｓ１６のループ回路は動作しないのと同じになる。従って、変復調回路１３の出力信号Ｓ１７は、比較調整回路１４の出力信号Ｓ１６が重畳されるが無信号のため変動しないことになり、検出回路１６のノイズレベルが変動しないので、ＦＭ音声とノーマル音声の自動判別が誤動作しないとするものである。
【００２０】
図２は本発明の磁気記録再生装置の実施の形態における信号制御回路１７の具体回路を示す回路図である。図２を用いてその動作を説明する。
【００２１】
図２において、入力端子に入力される信号は図１における入力端子１２に入力された信号Ｓ１２、制御部の命令信号は図１における制御部１８からの制御信号、出力は図１における信号制御回路１７の出力信号Ｓ１９である。
【００２２】
Ｑ３はスイッチトランジスタであって、Ｑ３が遮断動作している時、Ｑ１のベース電圧がＶＣＣ電圧より低い場合、Ｑ１とＲ１はエミッタフォロワ動作し、入力信号はそのまま出力信号として出力される。Ｑ３のスイッチトランジスタが導通動作している時、即ちＱ３のコレクタ電圧がＶＣＣ電圧と殆ど同じ電圧となった時、Ｑ１のエミッタ電圧がＱ１のベース電圧より高くなってＱ１の入力信号は遮断され、出力信号は無信号となって出力される。また、Ｑ３のスイッチ動作はＱ２によって制御され、Ｑ２がＯＮの時Ｒ４とＲ５に電流が流れＱ３のベース・エミッタ間に電位差を生じＱ３が導通状態となる。Ｒ４とＲ５は電流が流れた時にＱ３が導通状態になるような値に設定されている。また、Ｑ２がＯＦＦの時Ｒ４とＲ５に電流が流れずＱ３のベース・エミッタ間に電位差がなくＱ３が遮断状態となる。
【００２３】
次に、Ｑ２のＯＮ／ＯＦＦ動作は制御部１８の命令信号がＨＩＧＨレベルの時、Ｑ２のベース電圧はＲ２とＲ３で分圧された電圧となりＱ２がＯＮ動作するようにＲ２とＲ３の値は設定されている。制御部の命令信号がＬＯＷレベルの時、Ｑ２のベース電圧はＲ２とＲ３で分圧された電圧となりＱ２がＯＦＦ動作するようにＲ２とＲ３の値は設定されている。
【００２４】
従って、制御部１８の命令信号がＨＩＧＨレベルであるかＬＯＷレベルであるかによって、Ｑ１に入力される信号の導通・遮断を制御する。
【００２５】
この具体回路においては、トランジスタを使用した回路例を提示したが、Ｑ１のエミッタ側を直接ダイオード制御しても良く、また、単にアナログスイッチの構成としてもよい。
【００２６】
以上のように本実施の形態によれば、基準信号発生回路１５の前段に信号制御回路１７を設け、再生時に信号Ｓ１９を無信号とするので、結果、変復調回路１３の出力信号Ｓ１７の変動がなくなるので、検出回路１６は検出したＦＭ音声信号のノイズレベルに基づくＦＭ音声とノーマル音声の自動判別を精度良く行うことができる。
【００２７】
【発明の効果】
以上のように本発明は、ＦＭキャリア信号の自動周波数調整を施した磁気記録再生装置の基準信号発生回路に入力される信号を少なくとも再生時に入力しないことにより、再生時にＦＭ音声とノーマル音声の自動判別が誤動作せず、精度良く判別を行うことができるという優れた効果が得られる。
【図面の簡単な説明】
【図１】本発明の実施の形態における磁気記録再生装置のブロック図
【図２】同実施の形態における信号制御回路の回路図
【図３】従来の磁気記録再生装置のブロック図
【符号の説明】
１３  変復調回路
１４  比較調整回路
１５  基準信号発生回路
１６  検出回路
１７  信号制御回路
【図１】
0003572848.tif 000002
【図２】
0003572848.tif 000003
【図３】
0003572848.tif 000004